【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
サンプル流体から成分を抽出するための無膜交換装置であって、
第１、第２、及び第３の入口チャンネルと、
第１、第２、及び第３の出口チャンネルと、
前記第１、第２、及び第３の入口チャンネルと前記第１、第２、及び第３の出口チャンネルとに連結されたマイクロ流体抽出チャンネルと、
を含み、
第１の抽出器流体、サンプル流体、及び第２の抽出器流体の層流が、前記抽出チャンネルの内部に確立され、
前記第１及び第２の抽出器流体により前記サンプル流体が覆われることで、該サンプル流体と前記抽出チャンネルの表面との間の接触が実質的に制限される、
ことを特徴とする装置。
【請求項２】
前記サンプル流体の少なくとも９０％は、前記第１及び第２の抽出器流体によって覆われることを特徴とする請求項１に記載の装置。
【請求項３】
前記サンプル流体の少なくとも９５％は、前記第１及び第２の抽出器流体によって覆われることを特徴とする請求項２に記載の装置。
【請求項４】
前記サンプル流体の少なくとも一部分は、前記第１の抽出器流体と共に前記第１の出口チャンネルを通って装置を出ることを特徴とする請求項１に記載の装置。
【請求項５】
前記抽出チャンネル内の分子の移流輸送は、実質的に存在しないことを特徴とする請求項１に記載の装置。
【請求項６】
前記第１の抽出器流体の組成は、前記第２の抽出器流体の組成と実質的に同じであることを特徴とする請求項１に記載の装置。
【請求項７】
前記サンプル流体の流れは、前記第１及び第２の抽出器流体の流れの間にあることを特徴とする請求項１に記載の装置。
【請求項８】
前記第１の出口チャンネルの一部分及び前記第２の出口チャンネルの一部分から形成された第１のダイバータと、
前記第２の出口チャンネルの一部分及び前記第３の出口チャンネルの一部分から形成された第２のダイバータと、
を更に含むことを特徴とする請求項１に記載の装置。
【請求項９】
前記第１の抽出器流体の流れと前記サンプル流体の流れの間に形成された第１の界面は、前記第１のダイバータの少なくとも一部分と位置合わせされ、
前記第２の抽出器流体の流れと前記サンプル流体の流れの間に形成された第２の界面は、前記第２のダイバータの少なくとも一部分と位置合わせされる、
ことを特徴とする請求項８に記載の装置。
【請求項１０】
前記サンプル流体は、血液流体であることを特徴とする請求項１に記載の装置。
【請求項１１】
前記サンプル流体から抽出される成分は、前記血液流体の非細胞成分であることを特徴とする請求項１０に記載の装置。
【請求項１２】
第１のポンプが、前記抽出チャンネルの前記抽出器流体の流れを制御するのに用いられ、
第２のポンプが、前記抽出チャンネルの前記サンプル流体の流れを制御するのに用いられる、
ことを特徴とする請求項１に記載の装置。
【請求項１３】
前記第１のポンプは、前記抽出チャンネル内への前記抽出器流体の流れを制御する注入ポンプであり、
前記抽出チャンネルからの前記抽出器流体の流れを制御する回収ポンプ、
を更に含むことを特徴とする請求項１２に記載の装置。
【請求項１４】
抽出器流体の供給源が、前記第１の入口チャンネルに連結され、
サンプル流体の供給源が、前記第２の入口チャンネルに連結される、
ことを特徴とする請求項１に記載の装置。
【請求項１５】
前記サンプル流体は、血液流体であり、前記サンプル流体の供給源は、ヒトであることを特徴とする請求項１４に記載の装置。
【請求項１６】
前記抽出チャンネルの高さは、６００μｍ未満であることを特徴とする請求項１に記載の装置。
【請求項１７】
前記抽出チャンネルの幅対高さ比は、少なくとも１０であることを特徴とする請求項１に記載の装置。
【請求項１８】
サンプル流体から成分を抽出するためのシステムであって、
請求項１に記載の装置と、
抽出チャンネルを出る時に第１の抽出器流体、第２の抽出器流体、及びサンプル流体の成分の少なくとも一部を受け取る２次処理装置と、
を含むことを特徴とするシステム。
【請求項１９】
前記２次処理装置は、膜装置であることを特徴とする請求項１８に記載のシステム。
【請求項２０】
前記２次処理装置は、吸着装置であることを特徴とする請求項１８に記載のシステム。
【請求項２１】
血液透析を実行するためのシステムであって、
無膜交換装置、
を含み、
前記無膜交換装置は、
第１及び第２の透析液入口チャンネル、
血液入口及び出口チャンネル、
第１及び第２の透析液出口チャンネル、及び
前記第１及び第２の透析液入口及び出口チャンネルと前記血液入口及び出口チャンネルとに連結されたマイクロ流体透析チャンネル、
から成り、
第１の透析液流体、血液流体、及び第２の透析液流体の層流が、前記透析チャンネル内部に順番に確立され、該血液流体の成分の少なくとも一部は、前記第１及び第２の透析液出口チャンネルを通って前記装置から流出し、
前記第１及び第２の透析液出口チャンネルを通って前記装置を出る前記透析液流体と前記血液流体の成分の前記少なくとも一部とを受け取る２次処理装置、
を更に含むことを特徴とするシステム。
【請求項２２】
前記２次処理装置は、前記第１及び第２の透析液出口チャンネルを通って前記装置を出る前記透析液流体と前記血液流体の成分の前記少なくとも一部とを濾過し、該濾過した流体を前記第１及び第２の透析液入口チャンネルに戻すことを特徴とする請求項２１に記載のシステム。
【請求項２３】
前記血液流体の成分の前記少なくとも一部は、実質的に該血液流体の非細胞成分であることを特徴とする請求項２１に記載のシステム。
【請求項２４】
前記血液流体を前記第１及び第２の透析液流体で覆うことにより、該血液流体と前記透析チャンネルの表面との間の接触が実質的に制限されることを特徴とする請求項２１に記載のシステム。
【請求項２５】
前記２次処理装置は、膜装置であることを特徴とする請求項２１に記載のシステム。
【請求項２６】
前記２次処理装置は、吸着装置であることを特徴とする請求項２１に記載のシステム。
【請求項２７】
前記第１の透析流体の組成は、前記第２の透析流体の組成と実質的に同じであることを特徴とする請求項２１に記載のシステム。
【請求項２８】
前記第１の透析液出口チャンネルの一部分及び前記血液出口チャンネルの一部分から形成された第１のダイバータと、
前記血液出口チャンネルの一部分及び前記第２の透析液出口チャンネルの一部分から形成された第２のダイバータと、
を更に含むことを特徴とする請求項２１に記載のシステム。
【請求項２９】
前記透析チャンネルの前記透析液流体の流れを制御するための第１のポンプと、
前記透析チャンネルの前記血液流体の流れを制御するための第２のポンプと、
を更に含むことを特徴とする請求項２１に記載のシステム。
【請求項３０】
前記第１の透析液流体と前記血液流体の間の界面は、該第１の透析液流体及び該血液流体の層流の速度を調節することにより変化することを特徴とする請求項２１に記載のシステム。
【請求項３１】
前記血液流体と前記第２の透析液流体の間の界面は、該血液流体及び該第２の透析液流体の層流の速度を調節することにより変化することを特徴とする請求項２１に記載のシステム。
【請求項３２】
粘性剤を貯蔵するためのリザーバを更に含み、
前記粘性剤は、前記第１及び第２の透析液流体の粘性を変化させるために該第１及び第２の透析液流体と混合される、
ことを特徴とする請求項２１に記載のシステム。
【請求項３３】
前記透析チャンバを出る時に前記透析液流体内の望ましくない血液成分の存在を検出するための検出器を更に含むことを特徴とする請求項２１に記載のシステム。
【請求項３４】
前記検出器は、光検出器から成ることを特徴とする請求項３３に記載のシステム。
【請求項３５】
前記透析チャンネルの前記透析液流体の流れを制御するための第１のポンプが、該透析液流体内の望ましくない血液成分の前記検出された存在に基づいて調節されることを特徴とする請求項３３に記載のシステム。
【請求項３６】
前記第１の透析液流体、前記血液流体、及び前記第２の透析液流体の層流の速度は、該第１及び第２の透析液流体内の望ましくない血液成分の検出された存在に基づいて調節されることを特徴とする請求項２１に記載のシステム。
【請求項３７】
前記第１及び第２の透析液流体は、高浸透圧溶液、グルコース含量が高い溶液、又は多価電解質浸透性薬剤のうちの少なくとも１つから成ることを特徴とする請求項２１に記載のシステム。